(57)【要約】  【目的】  二酸化炭素の排出を管理する。  【構成】  燃料電池にもとづいて動作するディジタル・スチル・カメラ１のユーザによって二酸化炭素排出権が購入される。購入された二酸化炭素排出権によって認められる排出許可量データがサーバ300からカメラ１に送信される。カメラ１における二酸化炭素排出量が，サーバ300から送信された排出許可量データによって指定される量を超えるまで二酸化炭素の排出が認められる。二酸化炭素の排出を管理でき，不要な排出を未然に防止できる。  【選択図】  図１
2005108483.tif 000002
【特許請求の範囲】
【請求項１】
燃料電池にもとづいて動作し，かつ二酸化炭素排出管理サーバと通信可能な電子装置において，
上記二酸化炭素排出管理サーバから送信され，かつ購入した二酸化炭素排出権にもとづく二酸化炭素の排出許可量を示すデータを受信する受信手段，
上記燃料電池による二酸化炭素の排出量を算出する第１の算出手段，
上記第１の算出手段によって算出された排出量が，上記受信手段において受信した排出許可量データによって決定される排出許可量を超えたかどうかを判定する第１の判定手段，および
上記第１の排出量判定手段によって，排出許可量を超える量の二酸化炭素を排出したと判定されたことに応じて，上記燃料電池の動作を禁止する動作制御手段，
を備えた電子装置。
【請求項２】
上記燃料電池の燃料の使用量を測定する測定手段をさらに備え，
上記第１の算出手段が上記測定手段によって測定された使用量にもとづいて二酸化炭素の排出量を算出するものである，
請求項１に記載の電子装置。
【請求項３】
上記燃料電池を用いて充電池を充電する充電回路をさらに備え，
上記第１の算出手段が，上記充電回路による充電にもとづいて二酸化炭素の排出量を算出するものである，
請求項１に記載の電子装置。
【請求項４】
上記第１の算出手段によって算出された排出量と上記受信手段において受信した排出許可量データによって決定される排出許可量とにもとづいて，上記排出許可量内において排出が許可される二酸化炭素の残排出許可量を算出する第２の算出手段，および
上記第２の算出手段によって算出された残排出許可量を報知する報知手段，
をさらに備えた請求項１に記載の電子装置。
【請求項５】
上記第１の算出手段によって算出された排出量が，上記排出許可量未満の所定の排出量を超えたかどうかを判定する第２の判定手段，および
上記第２の判定手段により，上記第１の算出手段によって算出された排出量が上記所定の排出量を超えたと判定されたことに応じて警告する警告手段，
をさらに備えた請求項１に記載の電子装置。
【請求項６】
上記受信手段によって受信した排出許可量データを，受信ごとに更新して記憶する記憶手段をさらに備え，
上記第１の判定手段は，上記第１の算出手段によって算出された排出量が上記記憶手段に記憶されている排出量許可データによって決定される排出量を超えたかどうかを判定するものである，
請求項１に記載の電子装置。
【請求項７】
上記動作制御手段による上記燃料電池の動作禁止に応じて，一次電池および二次電池のうち少なくとも一方にもとづいて電子装置を駆動させる駆動手段をさらに備えた請求項１に記載の電子装置。
【請求項８】
燃料電池にもとづいて動作し，かつ二酸化炭素排出管理サーバと通信可能な電子装置において，
上記二酸化炭素排出管理サーバから送信され，かつ購入した二酸化炭素排出権にもとづく二酸化炭素の排出許可量を示すデータを受信し，
上記燃料電池による二酸化炭素の排出量を算出し，
算出された排出量が，受信した排出許可量データによって決定される排出許可量を超えたかどうかを判定し，
排出許可量を超える量の二酸化炭素を排出したと判定されたことに応じて，上記燃料電池の動作を禁止する，
電子装置の制御方法。
【発明の詳細な説明】
【技術分野】
【０００１】
この発明は，燃料電池にもとづいて動作し，かつ二酸化炭素排出管理サーバと通信可能な電子装置およびその制御方法に関する。
【背景技術】
【０００２】
地球温暖化を未然に防止するために二酸化炭素の排出が制限されるようになりつつある。このために企業は，二酸化炭素を排出する権利の購入を義務づけられることが予想される。このような二酸化炭素排出権の取引については，すでに発明が行われている（たとえば，特許文献１参照）。
【特許文献１】特開2001−306839号公報
【０００３】
一方，燃料電池によって駆動される燃料電池内蔵カメラが考えられている（たとえば，特許文献２）。このようなカメラにおいては，燃料電池を利用しているので二酸化炭素が排出されてしまう。カメラのような電子装置において燃料電池が利用されている場合，二酸化炭素の排出を抑えるために二酸化炭素の排出を管理する必要がある。
【特許文献２】特開2003−186087号公報
【発明の開示】
【０００４】
この発明は，燃料電池にもとづいて動作する電子装置において，二酸化炭素の排出を管理できるようにすることを目的とする。
【０００５】
この発明は，燃料電池にもとづいて動作し，かつ二酸化炭素排出管理サーバと通信可能な電子装置において，上記二酸化炭素排出管理サーバから送信され，かつ購入した二酸化炭素排出権にもとづく二酸化炭素の排出許可量を示すデータを受信する受信手段，上記燃料電池による二酸化炭素の排出量を算出する第１の算出手段，上記第１の算出手段によって算出された排出量が，上記受信手段において受信した排出許可量データによって決定される排出許可量を超えたかどうかを判定する第１の判定手段，および上記第１の排出量判定手段によって，排出許可量を超える量の二酸化炭素を排出したと判定されたことに応じて，上記燃料電池の動作を禁止する動作制御手段を備えていることを特徴とする。
【０００６】
この発明は，上記電子装置に適した方法も提供している。すなわち，この方法は，燃料電池にもとづいて動作し，かつ二酸化炭素排出管理サーバと通信可能な電子装置において，上記二酸化炭素排出管理サーバから送信され，かつ購入した二酸化炭素排出権にもとづく二酸化炭素の排出許可量を示すデータを受信し，上記燃料電池による二酸化炭素の排出量を算出し，算出された排出量が，受信した排出許可量データによって決定される排出許可量を超えたかどうかを判定し，排出許可量を超える量の二酸化炭素を排出したと判定されたことに応じて，上記燃料電池の動作を禁止するものである。
【０００７】
この発明によると，二酸化炭素の排出許可量を示すデータが上記二酸化炭素排出管理サーバから送信され，上記電子装置において受信される。この二酸化炭素の排出許可量を示すデータは，電子装置のユーザによって購入された二酸化炭素排出権にもとづいて上記二酸化炭素排出管理サーバから送信されるものである。
【０００８】
燃料電池にもとづいて電子装置が動作することにより排出される二酸化炭素が算出される。算出された二酸化炭素の排出量が，受信した排出許可量データによって示される排出許可量を超えたかどうかが判定される。超えたと判定された場合には，燃料電池の動作が禁止される。
【０００９】
電子装置のユーザ等によって購入された二酸化炭素排出権によって規定される量の二酸化炭素の排出が許可されることとなる。二酸化炭素の排出が管理され，二酸化炭素の排出を抑えることができるようになる。
【００１０】
上記燃料電池の燃料の使用量を測定する測定手段をさらに備えるようにしてもよい。この場合，上記第１の算出手段が上記測定手段によって測定された使用量にもとづいて二酸化炭素の排出量を算出するものとなろう。
【００１１】
また，上記燃料電池を用いて充電池を充電する充電回路をさらに備えるようにしてもよい。この場合，上記第１の算出手段が，上記充電回路による充電にもとづいて二酸化炭素の排出量を算出するものとなろう。
【００１２】
上記第１の算出手段によって算出された排出量と上記受信手段において受信した排出許可量データによって決定される排出許可量とにもとづいて，上記排出許可量内において排出が許可される二酸化炭素の残排出許可量を算出する第２の算出手段，および上記第２の算出手段によって算出された残排出許可量を報知する報知手段をさらに備えることが好ましい。電子装置のユーザは，排出可能な二酸化炭素の量を知ることができるようになる。
【００１３】
また，上記第１の算出手段によって算出された排出量が，上記排出許可量未満の所定の排出量を超えたかどうかを判定する第２の判定手段，および上記第２の判定手段により，上記第１の算出手段によって算出された排出量が上記所定の排出量を超えたと判定されたことに応じて警告する警告手段をさらに備えることが好ましい。電子装置のユーザは，排出が許可された二酸化炭素の量が限度に近づいてきたことが分かる。必要に応じて，二酸化炭素の排出権を新たに購入することができる。新たに二酸化炭素の排出権が購入されたことに応じて，再び二酸化炭素排出管理サーバから電子装置に二酸化炭素排出許可量を示すデータが送信され，そのデータによって規定される量の二酸化炭素を排出できるようになる。
【００１４】
上記受信手段によって受信した排出許可量データを，受信ごとに更新して記憶する記憶手段をさらに備えるようにしてもよい。この場合，上記第１の排出量判定手段は，上記第１の算出手段によって算出された排出量が上記記憶手段に記憶されている排出量許可データによって決定される排出量を超えたかどうかを判定するものとなろう。
【００１５】
電子装置のユーザが二酸化炭素を購入するごとに二酸化炭素排出許可量データが二酸化炭素排出管理サーバから電子装置に送信される。二酸化炭素排出許可量データが順次更新され，更新されたデータによって規定される量の二酸化炭素を排出できるようになる。
【００１６】
上記動作制御手段による上記燃料電池の動作禁止に応じて，一次電池および二次電池のうち少なくとも一方にもとづいて電子装置を駆動させる駆動手段をさらに備えるようにしてもよい。
【実施例】
【００１７】
図１は，この発明の実施例を示すもので，二酸化炭素排出管理システムの全体構成を示している。
【００１８】
インターネットを通じて，二酸化炭素排出管理サーバ300とディジタル・スチル・カメラ１，携帯電話200およびＰＤＡ（personal digital assistants）210とが通信可能に接続される。
【００１９】
この実施例による二酸化炭素排出管理システムに利用されるディジタル・スチル・カメラ１，携帯電話200，ＰＤＡ210などは，燃料電池にもとづいて動作することが可能である。燃料電池にもとづいて動作すると，二酸化炭素が空気中に排出される。この実施例による二酸化炭素排出管理システムにおいては，ディジタル・スチル・カメラ１，携帯電話200，ＰＤＡ210などのユーザ（または，これらの製造メーカ等）が，あらかじめ二酸化炭素排出権を購入し，その購入した二酸化炭素排出権によって規定される量の二酸化炭素を排出できるものである。購入した二酸化炭素排出権によって規定される量の二酸化炭素が排出されると，動作が制限される。また，二酸化炭素排出権が新たに購入されることにより，その新たに購入された二酸化炭素排出権によって規定される量の二酸化炭素の排出が可能となる。
【００２０】
図２は，ディジタル・スチル・カメラ１を正面から見た斜視図である。
【００２１】
ディジタル・スチル・カメラ１の上面の一端部には，燃料電池70を収納するための収納用開口２が形成されている。この収納用開口２は，スライド自在のスライド・ドア３によって開閉自在である（図１においては収納用開口２は開いている状態である）。また，ディジタル・スチル・カメラ１の上面の他端部には，電源スイッチ４およびシャッタ・レリーズ・ボタン５が設けられている。
【００２２】
ディジタル・スチル・カメラ１の側面には，メモリ・カード10を収納するためのメモリ・カード・スロット７およびＤＣ入力端子８が形成されている。
【００２３】
ディジタル・スチル・カメラ１の前面のほぼ中央部分には，撮像レンズ12が形成されている。この撮像レンズ12の右上には，光学的ビュー・ファインダ11が形成されている。
【００２４】
ディジタル・スチル・カメラ１の内部の底面において，燃料電池70の収納用開口２に対応する位置に燃料電池70の装着台13が形成されている。この装着台13には，電力受給端子14，データ入出力用端子15および装着検出回路16が形成されている。
【００２５】
燃料電池70には，燃料タンク30が装着される。詳しくは後述するように，燃料タンク30には燃料貯留室と水回収室とが含まれている。燃料貯留室には，燃料電池70の燃料（メタノール）が貯留されている。水回収室は，燃料電池70における反応に応じて生じる水を回収し，貯留するものである。燃料タンク30の下部には，キャップ65を介して，燃料供給口35および水回収口64が形成されている。燃料タンク30の側面には，回転自在なギヤ45が突出している。
【００２６】
燃料電池70には，詳しくは後述するように，燃料室と空気室とが含まれている。燃料電池70には，キャップ80が設けられている。キャップ80には，燃料室に対応した位置に燃料供給口81が形成され，空気室に対応した位置に排出口83が形成されている。燃料電池70の下面には，ディジタル・スチル・カメラ１の装着台13に燃料電池70が装着された場合に，装着台13に形成されている電力受給端子14およびデータ入出力端子15にそれぞれ対応する位置に，電力供給端子76およびデータ入出力端子77が形成されている。燃料電池70がディジタル・スチル・カメラ１に装着されることにより，燃料電池70に形成されている電力供給端子76およびデータ入出力端子77とディジタル・スチル・カメラ１の装着台13に形成されている電力受給端子14およびデータ入出力端子15とが電気的に接続される。
【００２７】
図２は，ディジタル・スチル・カメラ１を背面から見た斜視図である。
【００２８】
ディジタル・スチル・カメラ１の背面には，その左側に撮像によって得られた画像を表示する液晶表示画面27が形成されている。この液晶表示画面27の上に光学的ビュー・ファインダ11が形成されている。また，液晶表示画面27の右側には，メニュー／ＯＫボタン28が形成されている。ディジタル・スチル・カメラ１の右上には，充電モード選択スイッチ21およびモード選択ダイアル22が形成されている。これらのスイッチ21およびダイアル22の下には，上矢印ボタン23，右矢印ボタン24，下矢印ボタン25および左矢印ボタン26が円周上に配置されている。下矢印ボタン25の下には，スピーカ29が形成されている。
【００２９】
図４は，燃料タンク30および燃料電池70の断面図（図１のIV−IV線に沿う断面図）である。
【００３０】
上述したように，燃料タンク30には，仕切板50によって仕切られている燃料貯留室31と水回収室61とが含まれている。
【００３１】
燃料貯留室31には，伸縮自在で，かつ燃料が格納されている袋体32が含まれている。袋体32下面は開口されており，上面は閉じられている。袋体32の上面には，押圧部材40が設けられている。押圧部材40は，いずれもが外面に溝が形成されている駆動板41と押圧板44とが軸42によって連結されている。燃料貯留室31の内壁にも溝が形成されており，駆動板41および押圧板44に形成されている溝と噛み合っている。駆動板41には内周面に溝が形成されている孔43が形成されている。この孔43の溝にギヤ45の軸46の溝が噛み合っている。ギア45は保持機構（図示略）によって保持されている。
【００３２】
水回収室61にも，伸縮自在で下面が開口されている袋体62が含まれている。燃料電池70の発電にもとづいて生成される水が袋体62内に貯留される。
【００３３】
燃料電池70には，プロトン伝導膜74によって仕切られている燃料室71と空気室72とが含まれている。プロトン伝導膜74の燃料室71側には燃料極75が形成され，空気室72側には空気極73が形成されている。燃料室71には，燃料タンク30から供給される燃料が貯留される。燃料室71の上部側面には気液分離フィルタ82が形成されている。空気室72の上部側面には酸素吸入フィルタ84が形成されている。
【００３４】
このような燃料タンク30および燃料電池70において，ギア45が回転すると，その回転に応じて，押圧部材40が下方に移動し，袋体32が押される。すると，袋体32に貯留されている燃料33が燃料供給口35および81を通って燃料電池70の燃料室71に押し込まれる。すると，第１式にしたがって，メタノール水溶液の化学反応が行われ，二酸化炭素，水素イオンおよび電子が生成される。
【００３５】
ＣＨ3ＯＨ＋Ｈ2Ｏ→ＣＯ2＋６Ｈ+＋６ｅ-・・・式１
二酸化炭素は，燃料室71の上部側面に形成されている気液分離フィルタ82によって燃料室71から外部に排出される。燃料室71から排出された二酸化炭素は，ディジタル・スチル・カメラ１の側面に形成されている二酸化炭素排出口（図示略）から外部に排出される。水素イオンは，プロトン伝導膜74中の水分子とともにプロトン伝導膜74中を透過して空気極73に移動する。空気極73に移動した水素イオンＨ+ は，空気室72の上部側面に形成されている気液分離フィルタ84を透過して空気室72に流入した酸素と反応することにより，水が生成される。燃料室71から空気室72に外部回路（図示略）を通して電子が流れ，直流電力が発生する。また，生成した水は排水口83および水回収口64を介して水回収室31に回収される。
【００３６】
図５は，ディジタル・スチル・カメラ１の電気的構成を示すブロック図である。この図において上述した回路等と同じものについては同一符号を付す。
【００３７】
ディジタル・スチル・カメラ１の全体の動作は，制御回路100によって統括される。
【００３８】
ディジタル・スチル・カメラ１には，二酸化炭素排出管理サーバ300と通信するための通信回路116，タイマ117，ディジタル・スチル・カメラ１に含まれる駆動回路の状態を検出する駆動検出回路118および二酸化炭素排出管理サーバ300から送信される二酸化炭素排出許可量データを記憶する排出許可量メモリ119ならびに画像データその他のデータを一時的に記憶するメモリ110が含まれている。また，シャッタ・レリーズ・ボタン５等を含むスイッチ類115からの出力信号は，制御回路100に入力する。
【００３９】
また，ディジタル・スチル・カメラ１には，上述した燃料タンク30に設けられているギア45を回転させ，燃料を燃料電池70に注入するためのモータ114が含まれている。上述したように，燃料電池70において発生した直流電力は電力受給端子14および切換スイッチ113を介して充電回路112に与えられる。切換スイッチ113はｂ端子側が接続状態とされ，充電回路112によって充電池111が充電される。外部直流電源がディジタル・スチル・カメラ１に接続される場合には，切換スイッチ113のａ端子側が接続状態とされ，外部直流電源によって充電池111（二次電池）が充電される。
【００４０】
撮像モードが設定されると，ズーム・モータ101によって撮影レンズ12のズーム位置が規定され，かつフォーカス・モータ102によって被写体像が合焦するように撮影レンズ12の位置が制御される。被写体像を表す光線は，シャッタ104および絞り106を通過して駆動回路107によって駆動するＣＣＤ108の受光面に入射する。ＣＣＤ108から被写体像を表す映像信号が出力され，アナログ信号処理回路109において所定の信号処理が行われ，アナログ／ディジタル変換回路110に入力する。アナログ／ディジタル変換回路110において，アナログ映像信号がディジタル画像データに変換される。ディジタル画像データは，ディジタル信号処理回路111において所定のディジタル信号処理が行われる。ディジタル信号処理回路111から出力されたディジタル画像データは，メモリ112を通過して液晶表示装置27（液晶表示画面27と同じ符号を用いる）に与えられる。液晶表示装置27の表示画面上に，撮像によって得られた被写体像が表示される。
【００４１】
シャッタ・レリーズ・ボタン５が押されると，所定のシャッタ速度となるようにシャッタ104がシャッタ・モータ103によって制御され，かつ所定の絞り値となるように絞り106が絞りモータ105によって制御される。上述したのと同様に，ディジタル信号処理回路111から出力された画像データはメモリ112に与えられ，一時的に記憶される。画像データはメモリ112から出力され，圧縮／伸長回路113においてデータ圧縮が行われる。圧縮画像データがメモリ・カード10に記録される。
【００４２】
ディジタル・スチル・カメラ１は，充電池111の他に乾電池のような一次電池が装着可能なものでもよい。
【００４３】
図６は，ディジタル・スチル・カメラ１と二酸化炭素排出管理サーバ300との通信処理手順を示すフローチャートである。
【００４４】
二酸化炭素排出管理サーバ300には，決済情報（たとえば，クレジット・カード情報）が記憶されている。二酸化炭素排出権の購入要求があった場合には，ユーザごとに決済が可能であるかどうかが判定される。決済が可能なユーザについて二酸化炭素排出権が売られる。
【００４５】
ディジタル・スチル・カメラ１から二酸化炭素排出管理サーバ300に二酸化炭素排出権を要求するデータおよびディジタル・スチル・カメラ１のユーザの識別データが送信される（ステップ121）。
【００４６】
二酸化炭素排出権の要求データが二酸化炭素排出管理サーバ300において受信されると，要求したユーザの決済が可能かどうかが判断される。決済が可能であれば，二酸化炭素排出権の購入権限ありと判断され，所定の量の二酸化炭素の排出を許可する二酸化炭素排出許可量データがサーバ300からディジタル・スチル・カメラ１に送信される（ステップ132）。決済が不可能なユーザのディジタル・スチル・カメラ１から二酸化炭素排出権の要求データが送信された場合には，二酸化炭素排出権の購入権限なしと判断され，エラー・メッセージがサーバ300からディジタル・スチル・カメラ１に送信される（ステップ133）。
【００４７】
サーバ300から送信された二酸化炭素排出許可量データがディジタル・スチル・カメラ１において受信されると（ステップ122でＹＥＳ），その受信した二酸化炭素許可量データが排出許可量メモリ119に記憶される（ステップ123）。エラー・メッセージが受信されると（ステップ122でＮＯ），液晶表示装置27の表示画面にはエラー・メッセージが表示される（ステップ124）。
【００４８】
図７は，排出許可量メモリ119に記憶されている排出許可テーブルの一例である。
【００４９】
上述したように，二酸化炭素排出管理サーバ300から送信された二酸化炭素排出許可量データによって示される二酸化炭素排出許可量（1000cc）と，ディジタル・スチル・カメラ１から排出された二酸化炭素の総排出量（356cc）が記憶されている。二酸化炭素排出権が購入されることに世応じて，二酸化炭素排出許可量が増加する。
【００５０】
図８は，ディジタル・スチル・カメラの処理手順を示すフローチャートである。
【００５１】
まず，ディジタル・スチル・カメラ１に排出許可量メモリ119が存在するかどうかが確認される（ステップ141）。排出許可量メモリ119がディジタル・スチル・カメラ１にあると（ステップ141でＹＥＳ），そのメモリ119に記憶されている二酸化炭素排出許可量が読み取られる（ステップ142）。二酸化炭素排出許可量を示すデータがメモリ119に格納されていれば二酸化炭素排出権があると考えられる（ステップ143でＹＥＳ）。二酸化炭素排出権があると，メモリ119に記憶されている二酸化炭素の総排出量が読み取られる（ステップ144）。
【００５２】
メモリ119から読み取られた総排出量が，購入した二酸化排出権にもとづく二酸化炭素排出許可量を超えているかどうかが確認される（ステップ145）。総排出量が二酸化炭素排出許可量を超えていない場合には（ステップ145でＮＯ），燃料電池70を用いた充電池111の充電が開始される（ステップ146）。充電開始から一定時間経過すると（ステップ147でＹＥＳ），二酸化炭素の総排出量が更新される（ステップ148）。二酸化炭素の排出量は，あらかじめ分かっている単位時間当たりの排出量と充電時間にもとづいて算出される。充電池111の充電が終了するまでステップ145から148の処理が繰り返される。
【００５３】
二酸化炭素の総排出量が排出許可量を超えると（ステップ145でＹＥＳ），充電池111への充電が停止させられる（ステップ150）。二酸化炭素の総排出量が二酸化炭素の排出許可量を超えたことをユーザに知らせるために警告が行われる（ステップ151）。ユーザは，必要に応じて二酸化炭素排出権を新たに購入することとなろう。二酸化炭素排出権が新たに購入されたことに応じてメモリ119に記憶されている二酸化炭素排出許可量が更新される。排出許可量メモリ119がディジタル・スチル・カメラ１に無い場合（ステップ141でＮＯ）またはディジタル・スチル・カメラ１のユーザに二酸化炭素排出権が無い場合（ステップ143でＮＯ）にも警告が行われる（ステップ151）。充電終了（ステップ149）または警告（ステップ151）により，ディジタル・スチル・カメラは，充電池により動作する。
【００５４】
上述した実施例においては，二酸化炭素の総排出量が排出許可量を超えた場合に警告が行われているが，二酸化炭素の総排出量が排出許可量近傍の所定のしきい値を超えたかどうかを判定し，超えた場合に警告するようにしてもよい。燃料電池による充電が停止する前に，新たに二酸化炭素排出権を購入できるようになる。
【００５５】
また，二酸化炭素排出許可量から総排出量を減算することにより，残排出許可量を算出できる。算出された残排出許可量を液晶表示装置27の表示画面に表示するなどしてユーザに報知するようにしてもよい。
【００５６】
上述した燃料タンク30に貯留されている燃料の量はギア45の回転数，押圧部材40の位置にもとづいて算出することができる。また，燃料の残量にもとづいて，二酸化炭素の排出量も算出できるから，ギア45の回転数の検出装置または押圧部材の位置検出装置が設けられることにより，二酸化炭素の排出量を算出することができる。これらの検出装置は，たとえば，燃料タンク30に設けられることとなろう。さらに，上述した実施例においては，充電池111の充電時間（燃料電池70の発電時間）にもとづいて二酸化炭素の排出量（予想量，予測量）を算出しているが，二酸化炭素排出口近傍に二酸化炭素検出センサなどを設けることにより，二酸化炭素の排出量を実測（実測量）することもできる。
【００５７】
図９および図10は，カメラ付き携帯電話の斜視図である。
【００５８】
カメラ付き携帯電話200も燃料電池180にもとづいて充電池を充電するものである。
【００５９】
カメラ付き携帯電話200は，折り曲げ自在な第１の半体190と第２の半体160とを備えている。
【００６０】
第１の半体190には，内側の面のほぼ全体にわたって液晶表示画面192が形成されている。この液晶表示画面192の上にはスピーカ191が設けられている。
【００６１】
第１の半体190と第２の半体160との折り曲げ部分193のほぼ中央にはディジタル・カメラ193が設けられている。
【００６２】
第２の半体160の内側の面にはテン・キーパッドなどの各種ボタン163が形成されている。第２の半体の内側の面において下部には燃料タンク170をカメラ付き携帯電話200に収納するための収納部165が形成されている。この収納部165内には燃料電池180が収納されている。収納部165には開閉自在な蓋164が設けられている。
【００６３】
燃料タンク170は，上述したようにディジタル・スチル・カメラ１において用いられる燃料タンク30と同様のものであり，透明な燃料貯留部171と水回収部173とを備えている。また，燃料貯留部171に貯留されている燃料を燃料電池180に注入するための燃料供給口172および水を回収するための水回収口174も形成されている。
【００６４】
燃料電池180も，ディジタル・スチル・カメラ１において用いられる燃料電池70と同様のものであり，燃料室181と空気室183とを備えている。燃料室181には燃料を燃料室181に注入するための給液口182が形成され，空気室183には水を水回収部173に注入するための排水口184が形成されている。
【００６５】
第２の半体160の一側面の下部には開閉自在な蓋166が形成されている。この蓋166には燃料ゲージ窓167が形成されている。燃料タンク170の燃料貯留部171は透明なので，燃料ゲージ窓167から除くことにより，燃料の量が分かる。
【００６６】
図11は，カメラ付き携帯電話200の電気的構成を示すブロック図である。
【００６７】
カメラ付き携帯電話200の全体の動作は制御装置201によって統括される。
【００６８】
カメラ付き携帯電話200にも充電回路205が含まれており，燃料電池180から供給される電力により充電池206が充電される。
【００６９】
上述したように，携帯電話200には，ディジタル・カメラ193が含まれている。ディジタル・カメラ193によって被写体が撮像され，被写体像を表す被写体像データが出力される。被写体像データは，制御装置201を介して記憶装置202に与えられ，記憶される。
【００７０】
携帯電話200には，シャッタ・レリーズの機能をもつボタン，メニュー・ボタン，クリア・ボタン，テン・キーパッド，決定ボタン，上下左右ボタン，ジョグ・ダイアルなどのボタンなどを含む各種ボタン163が形成されている。各種ボタン163からの出力信号は，制御装置201に入力する。
【００７１】
また，制御装置201には，撮像により得られた被写体像を表示する表示装置192も接続されている。
【００７２】
携帯電話200には，アンテナ204が設けられている。このアンテナ204を介して音声データ，画像データ等が受信され，通信装置203に入力する。
【００７３】
マイクロフォン169に入力した音声は，音声信号として出力され音声処理装置205に入力する。音声処理装置205において，音声データにコーディングされる。音声データが，制御装置201および通信装置203を介してアンテナ204に与えられることにより，他の携帯電話等に送信される。アンテナ204において受信した音声データは，通信装置203および制御装置201を介して音声処理装置205に入力する。音声処理装置205において，音声データがデコーディングされ，音声信号が生成される。生成された音声信号が，スピーカ191に与えられることにより，受信した音声データによって表される音声が出力される。
【００７４】
さらに，カメラ付き携帯電話200は，上述した二酸化炭素排出管理サーバ300と通信可能であり，カメラ付き携帯電話200からサーバ300に二酸化炭素排出権の要求の送信およびサーバ300から送信された二酸化炭素排出許可量データの受信がアンテナ204において受信できる。受信された二酸化炭素排出許可量データは記憶装置202に記憶される。上述したディジタル・スチル・カメラ１と同様に，カメラ付き携帯電話200においても許可された排出量内において二酸化炭素の排出が認められる。二酸化炭素の総排出量が二酸化炭素排出許可量を超えると，燃料電池180による発電が停止させられる。
【図面の簡単な説明】
【００７５】
【図１】二酸化炭素排出管理システムの全体構成を示している。
【図２】ディジタル・スチル・カメラの斜視図である。
【図３】ディジタル・スチル・カメラの斜視図である。
【図４】燃料タンクと燃料電池の断面図である。
【図５】ディジタル・スチル・カメラの電気的構成を示すブロック図である。
【図６】ディジタル・スチル・カメラと二酸化炭素排出管理サーバの処理手順を示すフローチャートである。
【図７】二酸化炭素排出許可量と総排出量とを示すテーブルである。
【図８】ディジタル・スチル・カメラの処理手順を示すフローチャートである。
【図９】カメラ付き携帯電話の斜視図である。
【図１０】カメラ付き携帯電話の斜視図である。
【図１１】カメラ付き携帯電話の電気的構成を示すブロック図である。
【符号の説明】
【００７６】
１  ディジタル・スチル・カメラ
70，180  燃料電池
100  制御回路
116  通信回路
119  排出許可メモリ
【図１】
2005108483.tif 000003
【図２】
2005108483.tif 000004
【図３】
2005108483.tif 000005
【図４】
2005108483.tif 000006
【図５】
2005108483.tif 000007
【図６】
2005108483.tif 000008
【図７】
2005108483.tif 000009
【図８】
2005108483.tif 000010
【図９】
2005108483.tif 000011
【図１０】
2005108483.tif 000012
【図１１】
2005108483.tif 000013